(57)【要約】      （修正有）【課題】今まで取り除くことの出来なかったホコリごみ等を一度の掃除で取り除くことが出来るワイパーヘッドを提供する。【解決手段】本物品はフローリングワイパーのヘッド本体に、床拭き時に押し集められたごみホコリを掃き出す機能のブラシを取り付けることにより問題点を解決している。上述の様に、ブラシ付きフローリングワイパーヘッドは床拭き清掃は勿論、ヘッド本体に掃き出し用ブラシを取り付けたことにより、掃きだしながら床清掃が一度で出来ることで役立つ。【選択図】図１
0003174093.tif 000002
【実用新案登録請求の範囲】
【請求項１】
フローリングワイパーヘッドと掃き出し用ブラシとを一体化したことを特徴とするブラシ付きフローリングワイパーヘッド。
【請求項２】
掃き出し用ブラシを使用用途に合わせ形状の違うブラシを着脱することができるブラシ付きフローリングワイパーヘッド。
【考案の詳細な説明】
【技術分野】
【０００１】本考案品は、掃除用具のフローリングワイパーのヘッドにブラシ類の部材を掃きだしできるように取り付けた、ブラシ付きヘッドに関するものである。
【背景技術】
【０００２】  従来のフローリングワイパーは、狭い隙間のごみやホコリが掃き出せなかった又部屋の角、家具の周りやジュウタンの端の下にホコリやごみが集まっていた。
【考案の開示】
【考案が解決しようとする課題】
【０００３】      フローリングワイパーで障害物のない部屋を清掃しても、シートに吸着できないホコリごみは部屋の角又家具類の足元などに押し集められていた、それを取り除くためにわざわざほうきかブラシ類の掃除用品を用意しなければならなかった。従ってフローリングワイパーの機能と掃き出す機能のブラシと一体化することにより、床を拭きながら押し集られた、ごみホコリを掃き出し一度で清掃が終わることになり、前述の欠点を解決しようとするものである。
【課題を解決するための手段】
【０００４】本考案品はフローリングワイパーのヘッド本体に、床拭き時に押し集められたごみホコリを掃き出す機能のブラシを取り付けることにより問題点を解決している。
【考案の効果】
【０００５】上述の様に、ブラシ付きフローリングワイパーヘッドは床拭き清掃は勿論、ヘッド本体に掃き出し用ブラシを取り付けたことにより、掃きだしながら床清掃が一度で出できることで役立つ。
【図面の簡単な説明】
【０００６】
【図１】本考案に係るフローリングワイパーヘッドの斜視図である。
【図２】本考案に係るフローリングワイパーヘッド使用様態図を示す斜視図。
【考案を実施するための形態】
【０００７】フローリングワイパーヘッドに取替えのためにシートをセットした部分のシートが巻かれない両端又は一端に掃き出し用のブラシ類を本体に一体化したものである。又ブラシの形状を使用用途にあわせ着脱可能にすることもできる。
【考案の効果】
【０００８】本考案品を使用することで部屋の角や家財の足元又カーペットの端の下に入り込んだごみホコリなどを掃き出しながら清掃できる。
【産業上の利用可能性】
【０００９】本考案品を使用することで、部屋の隅々にあるごみホコリをきれいに掃除でき、部屋の環境を快適に保つことが出来る。
【符号の説明】
【００１０】１  フローリングワイパーヘッド
２  取替え用のシートを差し込む開口部
３  取替えシート
４  ブラシ
５  柄
【図１】
0003174093.tif 000003
【図２】
0003174093.tif 000004
【手続補正書】
【提出日】平成23年6月3日(2011.6.3)
【手続補正１】
【補正対象書類名】実用新案登録請求の範囲
【補正対象項目名】請求項２
【補正方法】変更
【補正の内容】
【請求項２】
一体化のブラシ付きフローリングワイパーヘッド図１、１の本体側面に着脱用の開口部を設け使用用途に合わせ形状の違うブラシを開口部に差込み着脱できる。又一体化のブラシ付きフローリングワイパーヘッドの側面にブラシ収納部を設け、出し入れができるブラシにレバー又は取手を付け左右に動かすことでブラシの長さが調節でき、使用状況に合わせブラシの調節できるブラシ付きフローリングワイパーヘッド。
【手続補正２】
【補正対象書類名】図面
【補正対象項目名】図３
【補正方法】追加
【補正の内容】
【図３】
0003174093.tif 000005
【手続補正３】
【補正対象書類名】図面
【補正対象項目名】図４
【補正方法】追加
【補正の内容】
【図４】
0003174093.tif 000006
【手続補正書】
【提出日】平成23年9月12日(2011.9.12)
【手続補正１】
【補正対象書類名】実用新案登録請求の範囲
【補正対象項目名】全文
【補正方法】変更
【補正の内容】
【実用新案登録請求の範囲】
【請求項１】
フローリングワイパー用の取替えシートを巻きつけない部分のフローリングワイパーヘッドの側面の一辺に化学繊維ハイテク繊維植物繊維で出来ているブラシを床と平行に側面に取り付けブラシの先端部分が床に接着するように一体化したことで床を拭きながら同時に隠れたゴミほこり等をかきだしながら清掃が一度で出来ることを特徴としたブラシ付きフローリングワイパーヘッドである。
【請求項２】
フローリングワイパーヘッドの本体側面に着脱用の凸凹のいずれかの形状をした部位を設け使用用途に合わせ形状の違うブラシを取替えするために着脱のために凸凹でできているいずれかの形状の形をしたブラシの柄を差し込むことで着脱できることを特徴とするブラシ付きフローリングワイパーヘッドである。
【請求項３】
フローリングワイパーヘッドの本体側面にブラシを出し入れする収納部位を設け使用用途にあわせブラシの長さを出し入れすることで調節できるようにフローリングワイパーヘッド本体の上平面部にブラシを左右に動かし長さを調節するための開口部を設け収納部位に収納したブラシの柄に開口部を左右に移動させるための取っ手をつけ左右に動かすことで使用用途に合わせブラシの長さが調節できることを特徴とするブラシ付きフローリングワイパーヘッドである。
【手続補正２】
【補正対象書類名】明細書
【補正対象項目名】０００６
【補正方法】変更
【補正の内容】
【０００６】
【図１】本考案に係るフローリングワイパーヘッドの斜視図である。
【図２】本考案に係るフローリングワイパーヘッド使用様態図を示す斜視図。
【図３】本考案に係るフローリングワイパーヘッドの側面から着脱用のブラシを取り外した状態の斜視図である。
【図４】本考案に係るフローリングワイパーヘッドの側面に収納部位を設けブラシを収納し使用用途に合わせブラシに付けた取っ手を左右に動かし長さを調節した状態の斜視図である。
【手続補正書】
【提出日】平成23年11月29日(2011.11.29)
【手続補正１】
【補正対象書類名】実用新案登録請求の範囲
【補正対象項目名】全文
【補正方法】変更
【補正の内容】
【実用新案登録請求の範囲】
【請求項１】
フローリングワイパー用の取替えシートを巻きつけない部分のフローリングワイパーヘッド側面の一辺に化学繊維、植物繊維等で出来ているブラシを側面にブラシを一体的に取り付けたものでブラシの先端部分を掃き出したい場所に押し当て掃きながら同時に隠れたゴミほこり等を掃き出し清掃が一度で出来ることを特徴としたブラシ付きフローリングワイパーヘッド。
【請求項２】
フローリングワイパーヘッドの本体側面に着脱用の凸凹のいずれかの形状をした部位を設け使用用途に合わせ形状の違うブラシを取替えするために着脱のために凸凹でできているいずれかの形状の形をしたブラシの柄を差し込むことで着脱できることを特徴とするブラシ付きフローリングワイパーヘッド。
【請求項３】
フローリングワイパーヘッドの本体側面にブラシを出し入する収納部位を設け使用用途にあわせブラシの長さを出し入れすることで調節できるようにフローリングワイパーヘッド本体の上平面部にブラシを左右に動かし長さを調節するための開口部を設け収納部位に収納したブラシの柄に開口部を左右に移動させるための取手をつけ左右に動かすことで使用用途に合わせブラシの長さが調節できることを特徴とするブラシ付きフローリングワイパーヘッド。